(57)【特許請求の範囲】
【請求項１】
前面を開口した収納庫本体と、収納庫本体の上下に複数設けて履物を載置する棚板と、収納庫本体の前面を閉じる扉とを備え、収納庫本体の下部には通風口が形成してあり、収納庫本体の上部には排気口が形成してあり、収納庫本体の排気口は、収納庫本体が設置してある部屋とは別の部屋で且つ建物に設けてられている換気扇がある部屋の換気扇の送風ダクトに連通してあることを特徴とする履物収納庫。
【請求項２】
収納庫本体の前記通風口は、扉の下端と収納庫本体の底部材との間に形成した隙間であることを特徴とする請求項１に記載の履物収納庫。
【請求項３】
収納庫本体は、履物の収納空間を左右に仕切る仕切り部材を有し、仕切り部材はその上端部を収納庫本体の上部材に下端部を底部材に各々水平方向に移動自在に係合してあり、棚板は仕切り部材間又は仕切り部材と側板との間に取付けてあり、棚板は左右方向に配置した複数の棚板部材を互いに係合して見付け寸法を可変にしてあることを特徴とする請求項２に記載の履物収納庫。
【請求項４】
上下の棚板間に補助棚板を備え、補助棚板は履物載置部と、後端に設けた回動軸部とを有し、履物載置部を棚板間で後端を上に前端を下にして履物載置部を回動自在に傾斜して配置してあることを特徴とする請求項１〜３のいずれか一項に記載の履物収納庫。
【発明の詳細な説明】
【技術分野】
【０００１】
本発明は、一般住宅の玄関等に設置される履物収納庫に関する。
【背景技術】
【０００２】
特許文献１には、履物収納庫内の上部に乾燥機を設け、収納庫内の空気を取り込で、取り込んだ空気を吸着剤を通して除湿した後、乾燥機から収納庫内に乾燥した空気を送風する一方、吸着剤を加熱した湿気風を外部に排出することが開示されている。
また、特許文献２には、履物収納庫内の底面に通風孔を形成すると共に収納庫の天面に脱臭乾燥機を設け、脱臭乾燥機に設けたファンにより収納庫内の空気を下部から吸引すると共に吸引した空気を脱臭乾燥して天面に設けた排気孔から排気することが開示されている。
【先行技術文献】
【特許文献】
【０００３】
【特許文献１】特開２００１−２２７８６３号公報
【特許文献２】特開２００３−３３４１１５号公報
【発明の概要】
【発明が解決しようとする課題】
【０００４】
しかし、特許文献１及び２のいずれの技術においても、送風機を収納庫に搭載するため、収納庫が大型化すると共に複雑になるという問題がある。また、送風機を駆動する為の電力を必要とするので、維持費が高価になるという不都合がある。
一般に、履物収納庫に収納された履物（靴等）は、早急に乾燥や脱臭を必要とせず、早くても一日や二日のうちに数分通風すれば足りることが多く、更に履物の種類によっては四季の１シーズ以外は履物収納庫に収納したままの物もある。したがって、一般住宅等で使用される通常の履物収納庫では、頻繁に通風を図る要求が低く、収納庫内に１日の内に所定時間風を流すだけでの脱臭や乾燥で足りる。
【０００５】
そこで、本発明は、簡易な構成で収納庫内の履物の乾燥や脱臭を図り且つ維持費がほとんどかからない履物収納庫の提供を目的とする。
【課題を解決するための手段】
【０００６】
請求項１に記載の発明は、前面を開口した収納庫本体と、収納庫本体の上下に複数設けて履物を載置する棚板と、収納庫本体の前面を閉じる扉とを備え、収納庫本体の下部には通風口が形成してあり、収納庫本体の上部には排気口が形成してあり、収納庫本体の排気口は、収納庫本体が設置してある部屋とは別の部屋で且つ建物に設けてられている換気扇がある部屋の換気扇の送風ダクトに連通してあることを特徴とする。
換気扇がある部屋とは、例えば、トイレ室、洗面所やキッチン等である。
【０００７】
請求項２に記載の発明は、請求項１に記載の発明において、収納庫本体の前記通風口は、扉の下端と収納庫本体の底部材との間に形成した隙間であることを特徴とする。
【０００８】
請求項３に記載の発明は、請求項２に記載の発明において、収納庫本体は、履物の収納空間を左右に仕切る仕切り部材を有し、仕切り部材はその上端部を収納庫本体の上部材に下端部を底部材に各々水平方向に移動自在に係合してあり、棚板は仕切り部材間又は仕切り部材と側板との間に取付けてあり、棚板は左右方向に配置した複数の棚板部材を互いに係合して見付け寸法を可変にしてあることを特徴とする。
【０００９】
請求項４に記載の発明は、請求項１〜３のいずれか一項に記載の発明において、上下の棚板間に補助棚板を備え、補助棚板は履物載置部と、後端に設けた回動軸部とを有し、履物載置部を棚板間で後端を上に前端を下にして履物載置部を回動自在に傾斜して配置してあることを特徴とする。
【発明の効果】
【００１０】
請求項１に記載の発明では、換気扇がある部屋の換気扇の送風ダクトが通風されると、収納庫本体に形成された排気口が減圧となって収納庫内の雰囲気が排出されると共に下部に設けた通風口から外気が収納庫内に導入される。
本発明によれば、収納庫の上部に形成した排気口は、収納庫本体が設置してある部屋とは別の部屋で且つ建物に設けてられている換気扇がある部屋の換気扇の送風ダクトに連通してあるから、独自に送風機（換気扇）を設けることなく、収納庫内に通風できる。従って、収納庫には送風機が不要であるから、構成が簡易であり、収納庫が大型になるのを防止できると共に、電力等の維持費がほとんどかからなくて済む。
【００１１】
収納庫の排気口を収納庫本体が設置してある部屋とは別の部屋で且つ換気扇がある部屋の換気扇の送風ダクトに連通してあるが、仮に換気扇がある部屋が、トイレやキッチン等の場合には、一日の中で不定期で且つ通風時間も限られるが、発明が解決しようとする課題の欄で説明したように、一般住宅等で使用される通常の履物収納庫では、頻繁に通風を図る要求が低く、収納庫内に１日の内に何回か数所定時間風を流すだけでの脱臭や乾燥で足りことから、一日の中で不定期で且つ所定時間の通風であっても十分な脱臭と乾燥を図ることができる。
【００１２】
請求項２に記載の発明では、請求項１に記載の作用効果を奏すると共に、扉の下端の寸法を短くすれば底部材との間に隙間を形成でき、扉や収納庫に孔等の加工が不要であるから構成が簡易である。
【００１３】
請求項３に記載の発明では、請求項２に記載の作用効果を奏すると共に、仕切り部材を左右（見付け方向）に移動自在としてあり、棚板もその左右方向の寸法を調整自在であるから、子供用や大人用等、履物の種類やサイズに応じて収納庫内の仕切り位置を変更できるので、家族構成や趣味等の生活スタイルに応じた履物のスペース配分ができ、使い勝手が良い。
【００１４】
請求項４に記載の発明では、請求項１〜４のいずれか一項に記載の作用効果を奏すると共に、傾斜して配置された補助棚板により棚板間を前空間と後空間とに２分割できるので、各々の空間に異なる種類の履物を収納できる。例えば、普段使わない履物は後空間に収め、使用頻度の高い履物は前空間に収納することにより、生活スタイルに応じた履物収納ができる。
しかも、後空間に収納した履物は補助棚板の前端を上方へ回動するだけで容易に取り出しできる。
【図面の簡単な説明】
【００１５】
【図１】第１実施の形態にかかる履物収納庫及びその周囲部分を示す概略構成図である。
【図２】図１に示すＡ−Ａ断面図である。
【図３】図１に示す棚板の図であり、（ａ）は第１実施の形態にかかる棚板の斜視図であり、（ｂ）は変形例にかかる棚板の斜視図であり、（ｃ）は（ｂ）に示す棚板をＳ方向から見た側面図である。
【図４】図１に示す収納庫の扉を除いた状態を示す正面図である。
【図５】第２実施の形態にかかる収納庫の一部を示す縦断面図である。
【図６】第３実施の形態にかかる収納庫の一部を示す縦断面図である。
【発明を実施するための形態】
【００１６】
以下に、添付図面の図１〜図４を参照して、本発明の第１実施の形態を詳細に説明する。図１に示すように、第１実施の形態にかかる履物収納庫１は、一般住宅の玄関に設置されるものであり、玄関の横にはトイレ室３が設けられている。トイレ室には、天井に換気扇５及び換気扇５からの排気風を室外へ案内する送風ダクト７が設けてある。
履物収納庫１は、図１及び図２に示すように、前面を開口した収納庫本体９と、前面の開口を閉じる扉１１とを有しており、扉１１は上下寸法が収納庫本体９の上下寸法よりも短く扉１１の下端１１ａと収納庫本体９の底板（底部材）１３との間には隙間１５が形成してあり、この隙間１５が通風口となっている。
【００１７】
収納庫本体９は、図４に示すように、底板１３、上板（上部材）１４、天板１９、背面板２０、左右の側板２１、２１により箱状に形成してあり、仕切り部材２３ａ、２３ｂ間及び仕切り部材２３ａと側板２１との間に設けた棚板２５に履物Ｍは載置されている。
天板１９には収納庫１内の雰囲気を排出する排気口１６が形成してあり、排気口１６には排気ダクト（連通手段）１８の一端が接続してり、排気ダクト１８の他端は図１に示すように送風ダクト７の途中に接続されている。
【００１８】
仕切り部材２３ａ、２３ｂは枠材であり、図２に示すように、底板１３と上板１４との間に設けてあると共に、収納庫本体９の前側に２本並んで配置され、背面側にも前側の仕切り部材２３ａ、２３ｂに対応する位置に仕切り部材２４ａ、２４ｂ（図示せず）が各々配置されている。
仕切り部材２３ａ、２３ｂ間及び仕切り部材２３ａと側板２１との間には、図２に一点鎖線で抜き出して示すように、上下方向に多数の係止孔２９が形成してあり、任意の位置の係止孔２９に係止部材２７を取付けるようになっている。棚板２５は前後の係止部材２７の上に載置されている。
底板１３の前側部には、図２に一点鎖線で抜き出して示すように、左右方向の溝３１が形成してあり、上板１４にも図示していないが、同様な溝３１が形成してある。そして、前側の仕切部材２３ａ、２３ｂ及び背面側の仕切り部材２４ａ、２４ｂの上端及び下端は、各々溝３１に係合する係合突起３３が形成してあり、各仕切部材２３ａ、２３ｂ、２４ａ、２４ｂは左右方向（見付け方向）に移動して位置を変えることができるようになっている。
【００１９】
図３（ａ）に示すように、棚板２５は、複数の棚板部材２５ａからなり、左右に各々形成された雄部３５、雌部３７により互いに左右方向にスライド自在に係合し、相互にスライドして取り付け外しできるようになっている。このように棚板部材２５ａを取外したり、取り付けたりして左右方向の寸法（見付け寸法）を変更可能としてある。
また、図３（ａ）（ｂ）に示すように、複数の棚板部材２５ａを互いにスライド連結する連結部材３９を設けて、棚板部材２５ａ、２５ａ間の間隔Ｗを変えることにより左右方向の寸法を変更するようにしても良い。
尚、本実施の形態にかかる履物収納庫１は多機能を有しており、履物を収納するほか、図４に示すように、傘収納スペース４１、防災用具収納スペース４３、印鑑等の子物入れ４５、ＩＴ用のハブ収納部４７、分電盤収納部４９が設けてある。
【００２０】
次に、本実施の形態による履物収納庫１の作用、効果について説明する。本実施の形態にかかる履物収納庫１は、扉１１を閉めた状態にしておけば、例えば、トイレ室３の換気扇５が駆動されたときには、トイレ室３の雰囲気が送風ダクト７を通って外に排気されるが、このときに送風ダクト７に接続されている履物収納庫の排気ダクト１８内が減圧になって排気口１６も減圧になることから、履物収納庫１内の雰囲気を吸引する。これに伴って履物収納庫１内には扉１１の下の通風口１５から外気が導入され、履物収納庫１内に外気が導入されて通風される。したがって、履物収納庫１内の履物等に外気が通風されて、履物の乾燥や脱臭を図ることができる。
【００２１】
履物Ｍの大きさが異なる大人用と子供用とに分けて、履物の大きさに適した収納を図りたい場合には、全ての棚板２５を外した状態で、仕切り部材２３ａ、２３ｂ、２４ａ、２４ｂを左右方向に適当な位置まで移動し、仕切り部材２３ａ、２３ａの間の寸法又は仕切り部材２３ａと側板２１との間の寸法（左右寸法）に合わせて、図３（ａ）に示すように、棚板部材２５ａを連結したり、分離して棚板２５の左右寸法を調整する。また、棚板２５が図３（ｂ）（ｃ）に示すような連結部材３９によるスライド方式の場合には、連結部材３９に対して棚板部材２５ａ、２５ａをスライドして棚板２５の左右寸法を調整する。
そして、棚板２５の上下位置の調整は、仕切り部材２３ａ、２３ｂ、２４ａ、２４ｂ及び側板２１の係止孔２９に係止してある係止部材２７の位置を変えることにより係止部材２７の上下位置を調整した後、棚板２５を係止部材２７に載置する。
【００２２】
第１実施の形態によれば、履物収納庫１の上部に形成した排気口１６は、トイレ室３の排気ダクト（送風ダクト）７に連通してあるから、履物収納庫１に独自に換気扇（送風機）を設けることなく、履物収納庫１内の通風を図ることができる。従って、履物収納庫１には送風機が不要であるから、構成が簡易であり、収納庫が大型になるのを防止できると共に、電力等の維持費がほとんどかからなくて済む。
履物収納庫１の排気口１６をトイレ室３の排気ダクト１８に連通してあり、一日の中で不定期で且つ通風時間も限られるが、一般住宅等で使用される通常の履物収納庫１では、頻繁に通風を図る要求が低く、収納庫内に１日の内に所定時間風を流すだけでの脱臭や乾燥で足りことから、トイレ室３の換気のように、不定期で且つ短い通風時間であっても十分な脱臭と乾燥を図ることができる。
【００２３】
扉１１の下端の寸法を短くすれば底板１３との間に隙間を形成でき、扉１１や収納庫本体９に孔等の加工が不要であるから構成が簡易である。
【００２４】
仕切り部材２３ａ、２３ｂ、２４ａ、２４ｂを左右に移動自在としてあり、棚板２５もその左右方向の寸法を調整自在であるから、子供用や大人用、履物の種類に応じて収納庫本体９内の仕切り位置を変更できるので、家族構成や趣味等に応じた履物のスペース配分ができ、使い勝手が良い。
【００２５】
第１実施の形態では、履物収納庫１は傘の収納や、ＩＴ用ハブ収納等、他機能を有しており、履物の他にこれらの収納物に対する通風により乾燥や冷却を図ることもできる。
【００２６】
以下に、本発明の他の実施の形態を説明するが、以下に説明する実施の形態において、上述の第１実施の形態と同一の作用効果を奏する部分には同一の符合を付することにより、その部分の説明な説明を省略し、以下の説明では第１実施の形態と主に異なる点を説明する。
図５に第２実施の形態を示す。第２実施の形態では、上下の棚板２５、２５間に補助棚板５１を設けてあり、補助棚板５１は、履物載置部５３と、履物載置部５３の前端から上方に突設した突設部５５と、後端に設けた回動軸部５７とが設けてある。回動軸部５７は背面側の仕切り部材２４ａ、２４ｂに回動自在に軸止してある。
この構成より、傾斜した履物載置部５３の裏側には履物Ｍを収納する後空間５２を形成すると共に、履物載置部５３の前側にも履物を収納する前空間５４を形成する。尚、前空間５４に収納される履物Ｍは、そのかかとを補助棚板５１の突設部５５に当接させて載置する。
【００２７】
この第２実施の形態によれば、上下の棚板２５、２５間には、傾斜して配置された補助棚板５１により上下の棚板２５、２５間を前空間５４と後空間５２とに２分割できるので、各々の空間５２、５４に異なる種類の履物を収納できる。例えば、普段使わない履物は後空間５２に収め、使用頻度の高い履物は前空間５４に収納することにより、生活スタイルに応じた履物収納ができる。
しかも、後空間５２に収納した履物は、図５に二点鎖線で示すように、扉１１を開いた状態で、補助棚板５１の前端を上方へ回動するだけで容易に取り出しできる。
【００２８】
図６に第３実施の形態を示す。この第３実施の形態では、図６に示すように、仕切り部材２３ａ、２３ｂは通風孔６１を形成した板材としてあり、板状の仕切り部材２３ａ、２３ｂにおいて、見込み方向略中央部に回動軸部５７を回動自在に軸止したものである。尚、後側の仕切り部材２４ａ、２４ｂはない。また、補助棚板５１の前側端には、第２実施の形態にあるような突設部５５を設けていない。その他の構成は第２実施の形態と略同じである。
この第３実施の形態では、第２実施の形態と同様な作用効果を奏すると共に、図６に示すように、補助棚板の後端に履物Ｍのかかとを引っかけて前空間５４に履物を配置することができる。
【００２９】
本発明は、上述した実施の形態に限らず、本発明の要旨を逸脱しない範囲で種々変形可能である。
例えば、履物収納庫１の排気口１６は、浴室の換気ダクトやキッチンの換気ダクト又は換気扇が設けてあるトイレ室やキッチンその他の部屋に連通してあっても良い。
通風口１５は、扉１１の下部や収納庫本体９の底板１３や側板２１の下部に形成した孔であっても良い。
【符号の説明】
【００３０】
１      履物収納庫
３      トイレ室
５      換気扇
７      送風ダクト
９      収納庫本体  
１１    扉
１１    下端
１５    通風口
１６    排気口
１８    排気ダクト（連通手段）
２１    側板
２３ａ、２３ｂ    仕切り部材
２４ａ、２４ｂ    仕切り部材
２５    棚板
２５ａ  棚板部材
５１    補助棚板
５３    履物載置部
５７    回動軸
【図１】
0005600442.tif 000002
【図２】
0005600442.tif 000003
【図３】
0005600442.tif 000004
【図４】
0005600442.tif 000005
【図５】
0005600442.tif 000006
【図６】
0005600442.tif 000007